(57)【要約】【課題】ホームページのリンク先の指示を容易に行うことができるインターネット端末装置を提供する。【解決手段】ホームページ２１から各リンク先情報が抽出され、各リンク先の見出し表示がリンク先用ウィンドウ２２に表示される。この状態で、リンク先用ウィンドウ２２のいずれかのリンク先の見出し表示がクリックされると、クリックされたリンク先の見出し表示に対応するリンク先情報に従い、ハイパーリンクを通じてリンク先の他のホームページへのジャンプがなされ、この他のホームページが表示される。【選択図】図３
2004110698.tif 000002
【特許請求の範囲】
【請求項１】
ホームページをインターネットを通じて閲覧表示するインターネット端末装置において、
ホームページからリンク先を抽出する抽出手段と、
この抽出されたリンク先をホームページ用ウィンドウとは異なる他のリンク先用ウィンドウに表示するリンク先表示手段と
を備えることを特徴とするインターネット端末装置。
【請求項２】
リンク先表示手段は、リンク先の種類に応じて複数のリンク先を区分けし、リンク先の種類別にリンク先を表示することを特徴とする請求項１に記載のインターネット端末装置。
【請求項３】
リンク先の種類を指示するための操作入力手段を備え、
リンク先表示手段は、操作入力手段から指示された種類のリンク先を表示することを特徴とする請求項１に記載のインターネット端末装置。
【請求項４】
操作入力手段は、画面上に表示された複数の操作ボタンを備え、各操作ボタンがリンク先の種類に対応することを特徴とする請求項３に記載のインターネット端末装置。
【請求項５】
各操作ボタンのいずれかが指示されると、この指示された操作ボタンに対応する種類の各リンク先が該ボタンの表示箇所からプルアップ表示されることを特徴とする請求項４に記載のインターネット端末装置。
【請求項６】
リンク先表示手段は、ホームページ用ウィンドウの表示内容の更新にかかわらず、リンク先用ウィンドウの表示内容を維持することを特徴とする請求項１に記載のインターネット端末装置。
【発明の詳細な説明】
【０００１】
【発明の属する技術分野】
本発明は、ホームページをインターネットを通じて閲覧表示するインターネット端末装置に関する。
【０００２】
【従来の技術】
周知の様にホームページ閲覧サービスがインターネットを通じて提供されており、一般には、このサービスをパーソナルコンピュータやモバイルコンピュータ等の端末装置を用いて受けることが多い。端末装置では、ＷＷＷブラウザ（「Ｉｎｔｅｒｎｅｔ　Ｅｘｐｌｏｒｅｒ」、「Ｎｅｔｓｃａｐｅ　Ｎａｖｉｇａｔｏｒ」と称されるもの等がある）を用いて、ホームページをインターネットを通じて呼び出し、このホームページを画面に表示する。更に、このホームページに表示されたリンク先がマウス等の操作により指示（クリック）されると、リンク先のホームページを呼び出して表示する。この様な操作の繰り返しによりネットサーフィンを行うことができる（特許文献１等を参照）。
【０００３】
【特許文献１】
特開２０００−２４９７４８号公報
【０００４】
【発明が解決しようとする課題】
しかしながら、ホームページでは、複数のリンク先を散在させて表示していることが多く、所望のリンク先を探し出して指示するまでに時間を費やすという問題があった。
【０００５】
また、ホームページの各リンク先を逐次指示して呼び出す場合は、リンク先を指示して、このリンク先のホームページを呼び出した後に、元のホームページに戻ってから他のリンク先を指示せねばならず、つまり元のホームページに逐一戻らなければ、次のリンク先を指示することができず、非常に手間がかかるという問題があった。
【０００６】
そこで、本発明は、上記従来の問題点に鑑みてなされたものであり、ホームページのリンク先の指示操作が容易なインターネット端末装置を提供することを目的とする。
【０００７】
【課題を解決するための手段】
上記課題を解決するために、本発明は、ホームページをインターネットを通じて閲覧表示するインターネット端末装置において、ホームページからリンク先を抽出する抽出手段と、この抽出されたリンク先をホームページ用ウィンドウとは異なる他のリンク先用ウィンドウに表示するリンク先表示手段とを備えている。
【０００８】
この様な構成の本発明によれば、ホームページからリンク先を抽出し、この抽出されたリンク先をリンク先用ウィンドウに表示している。このため、リンク先用ウィンドウを見れば、ホームページのリンク先を全て見ることができ、所望のリンク先を短時間で容易に探し出して指示することができる。
【０００９】
また、本発明においては、リンク先表示手段は、リンク先の種類に応じて複数のリンク先を区分けし、リンク先の種類別にリンク先を表示している。
【００１０】
例えば、リンク先の種類としては、「ｐｈｏｎｅ　ｔｏ」、「ｍａｉｌ　ｔｏ」、「ｗｅｂ　ｔｏ」等がある。これらの「ｐｈｏｎｅ　ｔｏ」、「ｍａｉｌ　ｔｏ」、「ｗｅｂ　ｔｏ」別に、各リンク先を表示すれば、各リンク先の識別が容易になり、所望のリンク先をより速やかに探し出すことができる。
【００１１】
更に、本発明においては、リンク先の種類を指示するための操作入力手段を備え、リンク先表示手段は、操作入力手段から指示された種類のリンク先を表示している。
【００１２】
この様にユーザの操作により指示された種類のリンク先を表示すれば、リンク先用ウィンドウの表示内容が簡略化され、リンク先の識別がより容易になる。
【００１３】
また、本発明においては、操作入力手段は、画面上に表示された複数の操作ボタンを備え、各操作ボタンがリンク先の種類に対応している。
【００１４】
ここでは、各操作ボタンのいずれかが操作されると、この操作された操作ボタンに対応するリンク先の種類が指示される。これにより、リンク先の種類の指示操作が容易になる。
【００１５】
更に、本発明においては、各操作ボタンのいずれかが指示されると、この指示された操作ボタンに対応する種類の各リンク先が該ボタンの表示箇所からプルアップ表示される。
【００１６】
これにより、リンク先用ウィンドウの各リンク先を認識し易くなる。
【００１７】
また、本発明においては、リンク先表示手段は、ホームページ用ウィンドウの表示内容の更新にかかわらず、リンク先用ウィンドウの表示内容を維持している。
【００１８】
この様にホームページ用ウィンドウの表示内容の更新にかかわらず、リンク先用ウィンドウの表示内容を維持すれば、リンク先用ウィンドウの各リンク先を順次指示して、各リンク先に対応するそれぞれのホームページを次から次へと呼び出して表示することができ、従来の様に元のホームページに逐一戻る必要がなくなる。
【００１９】
【発明の実施の形態】
以下、本発明の実施形態を添付図面を参照して詳細に説明する。
【００２０】
図１は、本発明のインターネット端末装置の第１実施形態を示すブロック図である。本実施形態のインターネット端末装置１は、パーソナルコンピュータやモバイルコンピュータ等の端末装置であり、インターネット２を通じてデータ通信を行う通信部１１、マウスやキーボード等からなる入力部１２、ＣＲＴや液晶表示装置等からなる表示部１３、及び該端末装置１を統括的に制御する制御部１４等を備えている。
【００２１】
制御部１４は、演算処理を行うＣＰＵ、各種のプログラムやデータテーブルを記憶したＲＯＭ、各種のデータを記憶したりワークエリアとなるＲＡＭ、及び各種のデータを入出力するインターフェース等からなり、各種のプログラムの実行により、リンク先抽出部１５、リンク一覧分岐部１６、小ウィンドウ作成部１７、及びリンク先検出部１８等を提供する。
【００２２】
制御部１４は、例えばＷＷＷブラウザを実行することにより、通信部１１からインターネット２を通じてサーバ３をアクセスし、ハイパーマークアップ言語（以下ＨＴＭＬと称する）で記述されたホームページデータを該サーバ３から受け取り、このホームページデータによって示されるホームページを表示部１３に表示する。このホームページは、画面上でホームページ用ウィンドウ内に表示される。
【００２３】
リンク先検出部１８は、リンク先を表すタグをホームページデータから検出し、このタグをリンク先情報として抽出する。また、リンク先抽出部１５は、リンク先情報からリンク先を表すＵＲＬやテキスト又はイメージ（以下リンク先の見出し表示と称す）を抽出する。複数のリンク先を表すそれぞれのタグをホームページデータから抽出することができれば、各タグをそれぞれのリンク先情報として抽出し、これらのリンク先情報からそれぞれのリンク先の見出し表示を抽出する。
【００２４】
リンク一覧分岐部１６は、リンク先情報の種類に応じて、ホームページから抽出された各リンク先の見出し表示を区分する。リンク先情報の種類としては、「ｐｈｏｎｅ　ｔｏ」、「ｍａｉｌ　ｔｏ」、「ｗｅｂ　ｔｏ」があり、これらの「ｐｈｏｎｅ　ｔｏ」、「ｍａｉｌ　ｔｏ」、「ｗｅｂ　ｔｏ」別に、各リンク先の見出し表示を区分けする。
【００２５】
小ウィンドウ作成部１７は、表示部１３の画面上にリンク先用ウィンドウを作成し、このリンク先用ウィンドウ内に各リンク先の見出し表示を表示する。
【００２６】
従って、表示部１３の画面には、ホームページ用ウィンドウとリンク先用ウィンドウが表示されることになる。
【００２７】
次に、図２に示すフローチャートに従って、インターネット端末装置１によるリンク先情報の処理過程を述べる。
【００２８】
まず、制御部１４は、通信部１１からインターネット２を通じてサーバ３をアクセスし、ホームページデータを該サーバ３から受け取り、このホームページデータによって示されるホームページを表示部１３の画面に表示する（ステップＳ１０１）。図３（ａ）は、画面上のホームページ２１を例示している。
【００２９】
リンク先検出部１８は、リンク先を表すタグをリンク先情報としてホームページデータから抽出する。ＨＴＭＬでは、＜Ａ　ＨＲＥＦ＝“リンク先のＵＲＬ”＞〜＜／Ａ＞のタグで囲まれる形式で、リンク先情報を設定している。このため、この形式のタグをホームページデータから検出し、このタグをリンク先情報として抽出する。リンク先抽出部１５は、このリンク先情報のＵＲＬや〜をリンク先の見出し表示として抽出する（ステップＳ１０２）。
【００３０】
尚、画面上で、このリンク先の見出し表示が入力部１２の操作により指示（クリック）されると、リンク先情報に従い、ハイパーリンクを通じてリンク先へのジャンプが行われる。
【００３１】
一方、小ウィンドウ作成部１７は、図３（ｂ）に示す様なリンク先用ウィンドウ２２を表示部１３の画面に表示する。そして、図３（ｂ）に示す様に各リンク先の見出し表示をリンク先用ウィンドウ２２に一覧表示する（各ステップＳ１０３，Ｓ１０４）。
【００３２】
このとき、リンク先用ウィンドウ２２には、「ｐｈｏｎｅ　ｔｏ」、「ｍａｉｌ　ｔｏ」、「ｗｅｂ　ｔｏ」のそれぞれのリンク先の見出し表示が混在して表示されている。
【００３３】
この後、リンク一覧分岐部１６は、各リンク先情報を逐一取り込んで、各リンク先情報に基づいて、それぞれのリンク先情報の種類を判定する（各ステップＳ１０５，Ｓ１０６）。
【００３４】
例えば、文字列“ｔｅｌ：”が＜Ａ　ＨＲＥＦ＝“リンク先のＵＲＬ”＞〜＜／Ａ＞のタグに含まれている場合は、リンク先情報の種類が「ｐｈｏｎｅ　ｔｏ」であると判定し（ステップＳ１０７）する。また、文字列“ｍａｉｌｔｏ：”がタグに含まれている場合は、リンク先情報の種類が「ｍａｉｌ　ｔｏ」であると判定する（ステップＳ１０８）。更に、　“ｔｅｌ：”　及び“ｍａｉｌｔｏ：”とは異なる他の文字列がタグに含まれている場合は、リンク先情報の種類が「ｗｅｂ　ｔｏ」であるとみなす（ステップＳ１０９）。
【００３５】
そして、リンク一覧分岐部１６は、リンク先情報の種類が「ｐｈｏｎｅ　ｔｏ」であれば、この「ｐｈｏｎｅ　ｔｏ」に対応するデータテーブルにリンク先情報を記憶し、またリンク先情報の種類が「ｍａｉｌ　ｔｏ」であれば、この「ｍａｉｌ　ｔｏ」に対応するデータテーブルにリンク先情報を記憶し、更にリンク先情報の種類が「ｐｈｏｎｅ　ｔｏ」であれば、この「ｐｈｏｎｅ　ｔｏ」に対応するデータテーブルにリンク先情報を記憶する（ステップＳ１１０）。
【００３６】
更に、小ウィンドウ作成部１７は、リンク先情報の種類に応じて各リンク先情報が区分されると、図４に示す様にリンク先情報の種類別にリンク先の見出し表示を表示する（ステップＳ１１１）。ここでは、リンク先用ウィンドウ２２を各表示欄２２ａ，２２ｂ，２２ｃに区分し、「ｐｈｏｎｅ　ｔｏ」の各リンク先の見出し表示を表示欄２２ａに表示し、「ｍａｉｌ　ｔｏ」の各リンク先の見出し表示を表示欄２２ｂに表示し、「ｗｅｂ　ｔｏ」の各リンク先の見出し表示を表示欄２２ｃに表示している。
【００３７】
次に、制御部１４は、表示部１３の画面上に、図５（ａ）に示す様な「ｐｈｏｎｅ　ｔｏ」、「ｍａｉｌ　ｔｏ」、「ｗｅｂ　ｔｏ」に対応するそれぞれの操作ボタン（ソフトキー）２３，２４，２５を作成して表示する（ステップＳ１１２）。このとき、リンク先用ウィンドウ２２は、表示部１３の画面から消去される。
【００３８】
そして、例えば「ｗｅｂ　ｔｏ」に対応する操作ボタン２５が入力部１２の操作によりクリックされると、小ウィンドウ作成部１７は、図５（ａ）に示す様にリンク先用ウィンドウ２２を表示部１３の画面上で操作ボタン２５の表示箇所からプルアップ表示し、「ｗｅｂ　ｔｏ」の各リンク先の見出し表示をリンク先用ウィンドウ２２内に一覧表示する（ステップＳ１１３）。
【００３９】
同様に、「ｐｈｏｎｅ　ｔｏ」に対応する操作ボタン２３が入力部１２の操作によりクリックされると、「ｐｈｏｎｅ　ｔｏ」の各リンク先の見出し表示をリンク先用ウィンドウ２２内に一覧表示し、「ｍａｉｌ　ｔｏ」に対応する操作ボタン２４が入力部１２の操作によりクリックされると、「ｍａｉｌ　ｔｏ」の各リンク先の見出し表示をリンク先用ウィンドウ２２に一覧表示する。
【００４０】
こうしてホームページから各リンク先情報が抽出され、各リンク先の見出し表示が表示部１３の画面のリンク先用ウィンドウ２２に表示される。この状態で、リンク先用ウィンドウ２２のいずれかのリンク先の見出し表示が入力部１２の操作によりクリックされると（ステップＳ１１４）、制御部１４は、クリックされたリンク先の見出し表示に対応するリンク先情報に従い、ハイパーリンクを通じてリンク先の他のホームページにジャンプし、この他のホームページを表示部１３の画面に表示する（ステップＳ１１５）。
【００４１】
この様に本実施形態では、ホームページ２１から各リンク先情報を抽出し、各リンク先の見出し表示をリンク先用ウィンドウ２２に表示しているので、リンク先用ウィンドウ２２を見れば、ホームページ２１のリンク先を全て見ることができ、所望のリンク先を短時間で容易に探し出して指示することができる。
【００４２】
図６は、本発明のインターネット端末装置の第２実施形態によるリンク先情報の処理過程を示すフローチャートである。尚、本実施形態のインターネット端末装置は、図１の端末装置１と同様の構成である。
【００４３】
ここでは、まず図２の各ステップＳ１０１〜１１２までの処理を行って、図５（ａ）に示す様なホームページ２１及び各操作ボタン２３，２４，２５を表示する（ステップＳ２０１）。この後、例えば「ｗｅｂ　ｔｏ」に対応する操作ボタン２５が入力部１２の操作によりクリックされると（各ステップＳ２０２，Ｓ２０３）、小ウィンドウ作成部１７は、図７（ａ）に示す様にリンク先用ウィンドウ２２を表示部１３の画面上で操作ボタン２５の表示箇所からプルアップ表示し、「ｗｅｂ　ｔｏ」の各リンク先の見出し表示をリンク先用ウィンドウ２２に一覧表示する（ステップＳ２０４）。
【００４４】
同様に、「ｐｈｏｎｅ　ｔｏ」に対応する操作ボタン２３が入力部１２の操作によりクリックされると（各ステップＳ２０２，Ｓ２０５）、「ｐｈｏｎｅ　ｔｏ」の各リンク先の見出し表示をリンク先用ウィンドウ２２に一覧表示し（ステップＳ２０６）、「ｍａｉｌ　ｔｏ」に対応する操作ボタン２４が入力部１２の操作によりクリックされると（各ステップＳ２０２，Ｓ２０７）、「ｍａｉｌ　ｔｏ」の各リンク先の見出し表示をリンク先用ウィンドウ２２に一覧表示する（ステップＳ２０８）。
【００４５】
そして、例えば図７（ａ）に示す状態で、リンク先用ウィンドウ２２の「ニュース」というリンク先の見出し表示が入力部１２の操作によりクリックされると（ステップＳ２０９）、制御部１４は、この「ニュース」というリンク先の見出し表示に対応するリンク先情報に従い、ハイパーリンクを通じて「ニュース」というリンク先のホームページにジャンプし、図７（ｂ）に示す様なホームページ２６を表示部１３の画面に表示する（ステップＳ２１０）。ただし、リンク先用ウィンドウ２２の表示がそのまま継続される。
【００４６】
更に、図７（ｂ）の表示状態で、リンク先用ウィンドウ２２の「スポーツ」というリンク先の見出し表示が入力部１２の操作によりクリックされると（ステップＳ２０９）、「スポーツ」というリンク先のホームページにジャンプする（ステップＳ２１０）。以降同様に、リンク先用ウィンドウ２２の表示が継続されるので、リンク先用ウィンドウ２２のいずれかのリンク先の見出し表示のクリックにより次のホームページへのジャンプを繰り返し行うことができる。
【００４７】
この様に本実施形態では、画面上のホームページが更新されても、リンク先用ウィンドウの表示がそのまま維持されるので、各リンク先の見出し表示を順次指示して、各リンク先の見出し表示に対応するそれぞれのホームページを次から次へと呼び出して表示することができる。
【００４８】
尚、本発明は、上記実施形態に限定されるものではなく、多様に変更することができる。例えば、画面上に表示される各操作ボタン２３〜２５の代わりに、キーボード上の各キーを「ｐｈｏｎｅ　ｔｏ」、「ｍａｉｌ　ｔｏ」、「ｗｅｂ　ｔｏ」に対応付けて用いても構わない。また、リンク先用ウィンドウの表示態様を適宜に変更しても構わない。
【００４９】
【発明の効果】
以上説明した様に本発明によれば、ホームページからリンク先を抽出し、この抽出されたリンク先をリンク先用ウィンドウに表示している。このため、リンク先用ウィンドウを見れば、ホームページのリンク先を全て見ることができ、所望のリンク先を短時間で容易に探し出して指示することができる。
【００５０】
また、リンク先の種類別にリンク先を表示しているので、各リンク先の識別が容易になり、所望のリンク先をより速やかに探し出すことができる。
【００５１】
更に、ユーザの操作により指示された種類のリンク先を表示しているので、リンク先用ウィンドウの表示内容が簡略化され、リンク先の識別がより容易になる。
【００５２】
また、ホームページの更新にかかわらず、リンク先用ウィンドウの表示内容を維持しているので、リンク先用ウィンドウの各リンク先を順次指示して、各リンク先に対応するそれぞれのホームページを次から次へと呼び出して表示することができる。
【図面の簡単な説明】
【図１】本発明のインターネット端末装置の第１実施形態を示すブロック図である。
【図２】図１の装置によるリンク先情報の処理過程を示すフローチャートである。
【図３】（ａ）は図１の装置の画面に表示されたホームページを示す図であり、（ｂ）は同画面に表示されたホームページ及びリンク先用ウィンドウを示す図である。
【図４】図１の装置の画面に表示されたホームページ及び他のリンク先用ウィンドウを示す図である。
【図５】（ａ）は図１の装置の画面に表示されたホームページ及び各操作ボタンを示す図であり、（ｂ）は同画面に表示されたホームページ、各操作ボタン、及びリンク先用ウィンドウを示す図である。
【図６】本発明のインターネット端末装置の第２実施形態によるリンク先情報の処理過程を示すフローチャートである。
【図７】（ａ）は図１の装置の画面に表示されたホームページ及び各操作ボタンを示す図であり、（ｂ）は同画面に表示された他のホームページ、各操作ボタン、及びリンク先用ウィンドウを示す図である。
【符号の説明】
１　　インターネット端末装置
２　　インターネット
３　　サーバ
１１　　通信部
１２　　入力部
１３　　表示部
１４　　制御部
１５　　リンク先抽出部
１６　　リンク一覧分岐部
１７　　小ウィンドウ作成部
１８　　リンク先検出部
２１，２６　　ホームページ
２２　　リンク先用ウィンドウ
２３，２４，２５　　操作ボタン
【図１】
2004110698.tif 000003
【図２】
2004110698.tif 000004
【図３】
2004110698.tif 000005
【図４】
2004110698.tif 000006
【図５】
2004110698.tif 000007
【図６】
2004110698.tif 000008
【図７】
2004110698.tif 000009